(57)【特許請求の範囲】
【請求項１】
軸筒内に筆記体を配置して、軸筒の先端開口より筆記体のペン先部が出入自在に構成されるキャップレス筆記具に於いて、
前記軸筒の先端開口に、ゴム材または弾性樹脂材で形成されるインナーキャップを備え、該インナーキャップは、軸筒軸心方向に沿ったペン先部出側に、ペン先部が出入自在のスリットが形成されるとともに、該スリットの周囲に凸状の縁が設けられた先端開口を閉塞する閉塞部を有し、該閉塞部の外周部に先端開口方向に向かって膨出した前方突出部が形成され、前記スリットを閉じた状態で、さらにそのスリット面と略直角となる方向で前記前方突出部の外周より内側に向う力が掛かるように軸筒内に装着されることを特徴とするキャップレス筆記具。
【請求項２】
インナーキャップの前方突出部の外周または前方突出部の外周に対接する軸筒装着内面に凸部が設けられて、その凸部の作用によりスリット面と略直角方向で内側に向う力が掛かるように構成されてなる請求項１に記載のキャップレス筆記具。
【請求項３】
スリットが一文字に形成されてなる請求項１に記載のキャップレス筆記具。
【請求項４】
インナーキャップの閉塞部は、先端開口に向かいアーチ状に突出した形状を有することを特徴とする請求項１に記載のキャップレス筆記具。
【発明の詳細な説明】
【０００１】
【発明の属する技術分野】
本発明は、キャップレスの筆記具に関し、特に、乾燥防止機構を有するキャップレスの筆記具に関するものである。
【０００２】
【従来の技術】
従来、水性や油性のマーキングペン、水性ボールペンや万年筆などの筆記具に於いては、筆記部の先端のインクが乾燥して筆記できなくなることを防止するために、先端部を密閉するためのキャップを備えるものが一般に用いられている。また、上記のようにキャップを備えた筆記具の場合には、頻繁に使用する際に、使用するたびにキャップを着脱する必要があり面倒であることから、別体のキャップを不要とした、いわゆるキャップレスの筆記具が数多く提案されている。
【０００３】
しかしながら、キャップレスの筆記具の場合、別体のキャップの代わりに狭い筆記体内部に先端部を密閉するための密閉機構を構成する必要があり、従来の方式によると密閉機構が複雑となり、構成部品の部品点数が多くなることで、組立て作業が複雑となり、さらに、生産コストが高くなるという問題点があった。
【０００４】
そこで、筆記部先端を密閉する方法として、実開昭４９−３２７３１号公報（以下、従来例１と称する。）に開示されているように、筆記具の軸筒内部の先端部に中央から外側に向かい切り込みを入れた弁板を組み込み、その切り込み部分より筆記部先端を突出するようにした方式や、実開昭４９−１０７４２１号公報（以下、従来例２と称する。）に開示されているように、筆記具の軸筒内部の基端部及び先端部にパッキンを設けて軸筒内部を密閉するとともに、先端部の対向当接させたパッキンの当接部より筆記部先端を突出するようにした方式や、実開昭６３−２３０８４号公報（以下、従来例３と称する。）に開示されているように、キャップ本体の前方に開口部を有する弾性自閉体を設けて、軸筒先端部のペン先部を突出するようにしたものが提案されている。
【０００５】
また、その他の方法として、特開平１−２８１９９９号公報（以下、従来例４と称する。）に開示されているように、筆記具の軸筒内部の先端部に形成され、筆記部のペン先部が収容されるシール室の先端側を開閉自在とするシール手段を備え、該ペン先部が先端部より突出する時に、シール室の先端側を開放するようにした方式や、実開昭５８−８９３９４号公報（以下、従来例５と称する。）に開示されているように、筆記具の軸筒内の先端部配置される先軸先端部にペン先部を密閉する密閉部材が密嵌固定されて、先軸の動作に伴い密嵌部材の先端部が開閉するようにした方法が提案されている。
【０００６】
【発明が解決しようとする課題】
しかしながら、前記従来例１、２、３のような方式によると、ペン先が突出するシール部にはすでに開口部が形成されているため密閉性に問題があった。
また従来例４のような方式によると、シール室やシール開閉機構など構造が複雑になるという問題点があり、同様に、従来例５のような方式においても、別部品でシール室を構成して開口機構を設けるなど構造が複雑になるという問題点があった。
【０００７】
本発明は、上記従来の問題点に鑑みてなされたものであり、簡単な構成で軸筒内部の先端部の密閉状態を確実にしたキャップレス筆記具を提供することを目的とするものである。
【０００８】
【課題を解決するための手段】
本発明は、上記課題を達成する為に以下の構成を有する。
請求項１に記載の発明に係るキャップレス筆記具は、軸筒内に筆記体を配置して、軸筒の先端開口より筆記体のペン先部が出入自在に構成されるキャップレス筆記具に於いて、前記軸筒の先端開口に、ゴム材または弾性樹脂材で形成されるインナーキャップを備え、該インナーキャップは、軸筒軸心方向に沿ったペン先部出側に、ペン先部が出入自在のスリットが形成されるとともに、該スリットの周囲に凸状の縁が設けられた先端開口を閉塞する閉塞部を有し、該閉塞部の外周部に先端開口方向に向かって膨出した前方突出部が形成され、前記スリットを閉じた状態で、さらにそのスリット面と略直角となる方向で前記前方突出部の外周より内側に向う力が掛かるように軸筒内に装着されることを特徴とするものである。
【０００９】
請求項２に記載の発明に係るキャップレス筆記具は、請求項１に記載のキャップレス筆記具に於いて、インナーキャップの前方突出部の外周または前方突出部の外周に対接する軸筒装着内面に凸部が設けられて、その凸部の作用により前端部の外周が内側に押されてスリット面と略直角方向で内側に向う力が掛かるように構成されてなるものである。
【００１０】
請求項３に記載の発明に係るキャップレス筆記具は、請求項１に記載のキャップレス筆記具に於いて、もっとも単純なスリット形状としてスリットが一文字に形成されてなるものである。
【００１１】
請求項４に記載の発明に係るキャップレス筆記具は、請求項１に記載のキャップレス筆記具に於いて、インナーキャップの閉塞部は、先端開口に向かいアーチ状（ドーム状）に突出した形状を有することを特徴とするものである。
【００１２】
【発明の実施の形態】
以下、本発明の実施の形態を図面に基づいて説明する。
図１乃至図３は発明の実施の形態を示す一例である。
図１は本発明の実施形態に係るキャップレス筆記具の全体の構成を示す断面図、図２は本実施形態に係るインナーキャップの軸筒への装着状態を示す径方向の断面図、図３はインナーキャップの軸筒への装着状態を示す軸方向の断面図である。
【００１３】
先ず、キャップレス筆記具１は、図１に示すように軸筒２内に筆記体５を配置して、該軸筒２の先端部３に形成された開口部４より筆記体５のペン先部６を突出自在に構成したものである。
前記筆記体５は、軸筒２内の前側の内周に沿って配置されたコイルスプリング７によって後部方向に付勢されると共に後方に保持されている。また、筆記体５には、ペン先部６を突出させるためのノック部１１が軸筒後端部１２より突出して設けられており、ノック部１１を前進することで係止機構部１０によってペン先部６を開口部４から出没状態に係止する。すなわち、係止機構部１０は、軸筒２の後部に設けられてペン先部６を開口部４から出没状態に係止する。
【００１４】
なお、係止機構部は、図示した形態に限らず様々のものが知られており、その構成は本発明の要旨ではないので説明は省略する。また、ノック部は筆記体の後端に別体で配設される場合もある。
【００１５】
前記軸筒２内の先端部３には、図１及び図３に示されるように、先端方向にはアーチ状に突出形成された閉塞部２１を有するインナーキャップ２０が設けられている。また、閉塞部２１には、基部２２と閉塞部２１の略中央部２３を通る直径上のスリット２５が一文字状に形成されている。また、スリット２５には凸状の縁２６が設けられている。
【００１６】
前記インナーキャップ２０はシリコーンゴム等のゴム材や弾性樹脂で形成され、アーチ状（ドーム状）の閉塞部２１の基部２２の外周端部に、先端開口方向に向かって膨出した前方突出部２７が形成され、その前方突出部２７が軸筒の先端部３内孔に設けられた凹部２４（前方突出部の装着内面）に装着され、前方突出部２７の前端が凹部２４の前端２８に当接されると共に、スリット面と直角となる方向で前方突出部２７の外周に内側に向う適宜力が掛かるように設けられている。
【００１７】
また、インナーキャップ２０のその他の材質として、ＥＰＤＭ、ブチルゴム、フッ素ゴムなど、インク溶剤に対して非透過性に優れたゴム材を使用するものであっても良い。これにより、インナーキャップ２０先端側からのインク溶剤の揮発をさらに防止することができる。
【００１８】
なお、本発明の実施の形態では、スリット面と直角の方向に基部２２から張り出した片状の前方突出部２７が軸筒の先端部３内孔に設けられた凹部２４に装着され、その外周部の前端あるいは後方の所定箇所に変形に伴う応力（図３の矢印Ｐ）が懸かり、その応力が閉塞部２１に沿ってスリット面を締め付ける圧力として作用するように構成されているが、この形態に限定されるものではなく、例えば、前方突出部が全周状に設けられ、その外周部でスリット面と直角の方向に凸部を形成したり、前方突出部の外周を押圧する凸部を軸筒の先端部内孔面に設けることで同様に作用するように構成することが可能である。
【００１９】
また、本発明の実施の形態では、もっとも単純なスリット形状としてスリットが一文字に形成されているが、この形態に限定されるものではなく、例えば、閉塞部の中央部より三方に放射状に切り込まれた形状のスリットであっても、それぞれのスリット面を略締め付けるように作用する上述したような前方突出部や凸部を設定することが可能である。
【００２０】
また、前記基部２２の後端には後方突出部２９が形成され、その後端に前端を当接させた状態でリング状の止め具３０が固定されている。このとき、インナーキャップ２０は、凹部２４の前端２８と止め具３０の前端との間に狭窄されて固定状態となる。なお、後方突出部２９を全周状に設けてその外周部の全周を軸筒の内孔周面に密接させ、インナーキャップ２０の後側のシール部となしたり、全周状に設けた後方突出部２９の後端に密接して止め具３０を軸筒内孔に密嵌してシール部とすることができる。
【００２１】
また、本実施形態は、インナーキャップ２０の閉塞部２１の形状をアーチ状（ドーム状）としているが、本発明は、閉塞部の形状に限定されるものではなく、例えば、平面状としたものや凹状に凹んだ形状としたもの、あるいは円錐状、多角錐状としたものであっても良い。
【００２２】
次に、本実施形態に係るキャップレス筆記具の作動を説明する。
まず、キャップレス筆記具１を使用しない場合は、軸筒２の内部に筆記体５とともにペン先部６も収容されている。
【００２３】
前記キャップレス筆記具１を使用する場合、軸筒２を握り、筆記体５の後端部に形成されたノック部１１をコイルスプリング７のばね力に抗して先端方向へ押し込むことにより筆記体５が前進する。
また、係止機構部１０の前端に設けられた係止部１０ａが軸筒２に穿設された窓部を貫通して設けられ、筆記体後方でノック部１１の前端外周部に設けられた係止段部３１に係合して筆記体５が前進した状態に係止される。
【００２４】
そのとき、ペン先部６は、インナーキャップ２０の閉塞部２１のスリット２５を押し開き、軸筒２の先端部３の開口部４より突出した状態となる。
また、その状態で、係止機構部の係止状態を解除すると、コイルスプリング７のばね力により筆記体５は再び軸筒内に収容される。
【００２５】
またその際、インナーキャップ２０に於いて、スリット２５からペン先部６が軸筒２内に後退すると、前記スリット２５は、シリコーンゴムの弾性力と閉塞部２１の外側から内側に作用する力によって隙間が密着した状態となる。
したがって、キャップレス筆記具１を使用しない状態では、スリット２５からのインクの揮発を最小限に止めることができる。
【００２６】
【作用】
本発明によれば、以下のような作用が得られる。
すなわち、軸筒内に筆記体を配置して、該軸筒の先端開口より筆記体のペン先部が出入自在に構成されるキャップレス筆記具に於いて、前記軸筒の先端開口に、ゴム材または弾性樹脂材で形成されるインナーキャップを備え、前記インナーキャップは、軸筒軸心方向に沿ったペン先部出側に、ペン先部が出入自在のスリットが形成されるとともに前記先端開口を閉塞する閉塞部を備え、前記スリットを閉じるように該閉塞部に力が掛かった状態で軸筒内に装着されることで、スリットを常に閉じる方向に力が掛かり、該ペン先突出部の密着性を高めることができるので、軸筒内のペン先部近傍の密閉状態を確実にすることができる。
【００２７】
また、インナーキャップの閉塞部は、先端開口に向かいアーチ状（ドーム状）に突出形成した形状とすることで該閉塞部の剛性を高くできるので、スリットを閉じる方向に力が作用した場合に確実にスリットを密着させることができる。
また、スリットの周囲に適宜凸状の縁が設けられることによって、スリット面の直角方向の剛性があがり、密着性が安定する。
【００２８】
【発明の効果】
以上説明したように、従来のスリット状にあるシール部の密閉不完全な問題や、シール開閉機構などの構造が複雑で安価に提供できないという問題が解決可能となる。
本発明のキャップレス筆記具によれば、インナーキャップは、ゴム材または弾性樹脂材で形成され、前面にペン先部が出入自在のスリットが形成されるとともに先端開口を閉塞する閉塞部を備え、該閉塞部の外周部に先端開口方向に向かって膨出した前方突出部が形成され、スリットを閉じた状態で、さらにそのスリット面と略直角となる方向で前方突出部の外周より内側に向う力が掛かるように軸筒内に装着されることによって、その外周部の変形に伴う応力が閉塞部に沿ってスリット面を締め付ける圧力として作用し、簡単な構成で軸筒内部の先端部を密閉できるので、ペン先部の密閉状態を確実にすることができ、長期保存性に優れたキャップレス筆記具が安価に提供可能となる。
【図面の簡単な説明】
【図１】本発明の実施形態の一例であるキャップレス筆記具の全体の構成を示す断面図である。
【図２】本発明の実施形態に係るインナーキャップの軸筒への装着状態を示す径方向の断面図を示している。
【図３】インナーキャップの軸筒への装着状態を示す軸方向の断面図である。
【符号の説明】
１      キャップレス筆記具
２      軸筒
３      先端部
４      開口部
５      筆記体
６      ペン先部
７      コイルスプリング
１０    係止機構部
１０ａ  係止部
１１    ノック部
１２    軸筒後端部
２０    インナーキャップ
２１    閉塞部
２２    基部
２３    中央部
２４    凹部
２５    スリット
２６    凸状の縁
２７    前方突出部
２８    前端
２９    後方突出部
３０    止め具
３１    係止段部
【図１】
0003561514.tif 000002
【図２】
0003561514.tif 000003
【図３】
0003561514.tif 000004